(57)【要約】【課題】保護板部による保護機能の信頼性低下を防止する。【解決手段】端子金具Ｆは、板材を曲げ加工して成形され、前端がタブ挿入口１５として開放された角筒状をなす本体部１０と、本体部１０を構成する基板部１４に支持されて本体部１０内に収容された弾性接触片１６と、基板部１４の前端縁からタブ挿入口１５の一部を閉塞するように延出する保護板部２４とを備えている。保護板部２４には、その延出端縁から後方へ曲げられて基板部１４側へ折り返された形態の折返部２５が形成されている。【選択図】図２
2012234709.tif 000002
【特許請求の範囲】
【請求項１】
板材を曲げ加工して成形され、
前端がタブ挿入口として開放された角筒状をなす本体部と、
前記本体部を構成する基板部に支持されて前記本体部内に収容された弾性接触片と、
前記基板部の前端縁から前記タブ挿入口の一部を閉塞するように延出する保護板部とを備えた端子金具において、
前記保護板部には、その延出端縁から後方へ曲げられて前記基板部側へ折り返された形態の折返部が形成されていることを特徴とする端子金具。
【請求項２】
前記折返部の延出端が前記基板部の内面に当接していることを特徴とする請求項１記載の端子金具。
【請求項３】
前記基板部には、前記折返部の延出端部が前方から係止可能な係止部が形成されていることを特徴とする請求項１又は請求項２記載の端子金具。
【請求項４】
前記弾性接触片は、前記基板部の後端縁から前記折返部に向かって前方へ片持ち状に延出した形態であることを特徴とする請求項１ないし請求項３のいずれか１項に記載の端子金具。
【発明の詳細な説明】
【技術分野】
【０００１】
本発明は、端子金具に関するものである。
【背景技術】
【０００２】
特許文献１には、板材を曲げ加工して成形され、前端がタブ挿入口として開放された角筒状をなす本体部と、本体部を構成する基板部に支持されて本体部内に収容された弾性接触片と、基板部の前端縁からタブ挿入口の一部を閉塞するように延出する保護板部とを備えた雌形の端子金具が開示されている。前方から本体内に侵入しようとした異物は、保護板部に当たって侵入を阻止されるので、弾性接触片は、保護板部によって異物の干渉から保護される。この保護板部は、その側縁の突起を前方からタブ挿入口の開口縁に係止させているので、前方からの押圧力や衝撃を受けても、後方へ倒れ難くなっている。
【先行技術文献】
【特許文献】
【０００３】
【特許文献１】特開２００５−１４２０６６号公報
【発明の概要】
【発明が解決しようとする課題】
【０００４】
しかし、保護板部は一枚板状をなしているため、保護板部自体の剛性はそれほど高くなく、特に、小型化のために端子金具の板厚を薄くした場合には、保護板部の剛性が更に低下することになる。このように保護板部が肉薄になってその剛性が低下すると、前方からの異物による押圧力や衝撃により、保護板部が両側縁を支点として後方へ（本体内へ）凹むように変形する虞がある。このようになると、保護板部によって弾性接触片を十分に保護することができなくなる。
本発明は上記のような事情に基づいて完成されたものであって、保護板部による保護機能の信頼性低下を防止することを目的とする。
【課題を解決するための手段】
【０００５】
上記の目的を達成するための手段として、請求項１の発明は、板材を曲げ加工して成形され、前端がタブ挿入口として開放された角筒状をなす本体部と、前記本体部を構成する基板部に支持されて前記本体部内に収容された弾性接触片と、前記基板部の前端縁から前記タブ挿入口の一部を閉塞するように延出する保護板部とを備えた端子金具において、前記保護板部には、その延出端縁から後方へ曲げられて前記基板部側へ折り返された形態の折返部が形成されているところに特徴を有する。
【０００６】
請求項２の発明は、請求項１に記載のものにおいて、前記折返部の延出端が前記基板部の内面に当接しているところに特徴を有する。
【０００７】
請求項３の発明は、請求項１または請求項２に記載のものにおいて、前記基板部には、前記折返部の延出端部が前方から係止可能な係止部が形成されているところに特徴を有する。
【０００８】
請求項４の発明は、請求項１ないし請求項３のいずれかに記載のものにおいて、前記弾性接触片は、前記基板部の後端縁から前記折返部に向かって前方へ片持ち状に延出した形態であるところに特徴を有する。
【発明の効果】
【０００９】
＜請求項１の発明＞
前方からの押圧力や衝撃を受けた保護板部が、基板部の前端縁を支点として後方へ倒れようとしても、折返部の延出端が基板部の内面に突き当たることによって、保護板部の倒れが規制される。したがって、保護板部が後方へ倒れることに起因する保護機能の信頼性低下が防止される。
【００１０】
＜請求項２の発明＞
折返部の延出端が基板部から離間している場合、保護板部は、折返部が基板部に突き当たるまで後方へ倒れ得る。これに対し、本発明では、折返部の延出端を基板部の内面に当接させているので、保護板部の後方への倒れを確実に防止することができる。
【００１１】
＜請求項３の発明＞
保護板部が基板部の前端縁を支点として後方へ倒れようとしたときに、折返部の延出端部が基板部の内面上で後方へ滑ってしまうと、保護板部の後方への倒れを防止できない。この点に鑑み、本発明は、基板部に形成した係止部に対し、折返部の延出端部を前方から係止させる構成とした。このようにすれば、折返部の延出端部が基板部の内面上を後方へ滑ることを規制できるので、保護板部の後方への倒れを、確実に防止することができる。
【００１２】
＜請求項４の発明＞
弾性接触片を基板部の前端縁から後方へ延出する形態にする場合には、基板部を二重板構造とし、一方の基板部の前端縁から弾性接触片を延出させ、他方の基板部の前端縁から保護板部を延出させることになる。これに対し、本発明では、弾性接触片を、基板部から折返部に向かって前方へ片持ち状に延出させているので、基板部を一枚板構造にすることができる。
【図面の簡単な説明】
【００１３】
【図１】実施形態１の端子金具の正面図
【図２】図１のＡ−Ａ線断面図
【図３】端子金具の側面図
【発明を実施するための形態】
【００１４】
＜実施形態１＞
以下、本発明を具体化した実施形態１を図１〜図３を参照して説明する。本実施形態の端子金具Ｆは、所定形状の板材に曲げ加工等を施すことにより、全体として前後方向に細長い形状に成形されたものである。図２，３に示すように、端子金具Ｆの前端側には、角筒状をなす本体部１０が形成され、端子金具Ｆの後端側にはオープンバレル状の電線圧着部１１が形成されている。電線圧着部１１には、電線（図示省略）が圧着により接続されるようになっている。
【００１５】
図１，２に示すように、本体部１０は、前後方向に細長い上板部１２と、上板部１２の左右両側縁から略直角に下方へ延出した形態の一対の側板部１３と、一方の側板部１３の下端縁（延出端縁）から他方の側板部１３に向かって上板部１２と平行に延出した基板部１４とを備えて構成されている。本体部１０の前端は、タブ挿入口１５として開口されている。このタブ挿入口１５は、本実施形態の端子金具Ｆの接続対象である雄形の相手端子（図示省略）のタブを、前方から本体部１０内に挿入させるために開口している。
【００１６】
図２に示すように、本体部１０内には、弾性接触片１６が収容されている。弾性接触片１６は、基板部１４の後端縁から前方へ折り返されて片持ち状に延出した形態である。弾性接触片１６は、斜め上前方へほぼ直線状に延出するアーム部１７と、アーム部１７の延出端部（前端部）から斜め下前方へ延出した形態のガイド部１８と、ガイド部１８から斜め下後方に片持ち状に延出した形態の脚部２３とを備えて構成されている。上下方向（本体部１０に対するタブの挿入方向と略直交する方向）において、アーム部１７の上面と上板部１２の下面（本体部１０の内面）との間隔は、前方に向かって次第に狭まっている。
【００１７】
ガイド部１８は、アーム部１７の前端縁から斜め下前方へ延出する上面部１９と、上面部１９の前端縁から下方へ密着曲げされて斜め上後方へ延出する下面部２０とから構成される。上面部１９の上面は、前後方向（本体部１０に対するタブの挿入方向と平行な方向）に対して傾斜したガイド斜面２１となっている。また、アーム部１７の前端部と上面部１９の後端部とが鈍角状（山形状）に連なる部分には、上面側へドーム状に膨出させた形態の接点部２２が形成されている。弾性接触片１６が弾性撓みしていない状態では、接点部２２と上板部１２の下面との間隔は、タブの厚さ寸法よりも小さい。脚部２３は、下面部２０の後端縁から斜め下後方へ延出しており、脚部２３の延出端部（後端部）は、基板部１４の上面（本体部１０の内面）に当接している。
【００１８】
図１，２に示すように、本体部１０には、前方から本体部１０への異物の侵入をタブ挿入口１５において阻止するための保護板部２４が形成されている。保護板部２４は、基板部１４の前端縁から略直角に上方へ片持ち状に延出した形態である。この保護板部２４が形成されている基板部１４は弾性接触片１６も支持する板部であるから、弾性接触片１６と保護板部２４は共通の１枚の基板部１４に支持されていることになる。保護板部２４は略方形の平板状をなし、保護板部２４の前面は、タブの挿入方向に対して直角な平面である。保護板部２４は、タブ挿入口１５の開口領域内へ進出するように延出しており、保護板部２４を形成したことにより、タブ挿入口１５の開口面積が狭まっている。保護板部２４の幅寸法は、タブ挿入口１５の開口幅寸法よりも少し小さい寸法である。タブ挿入口１５の方形をなす開口領域のうち、上下方向において弾性接触片１６と対応する下側の開口領域が、保護板部２４によって閉塞されている。
【００１９】
図１に示すように、保護板部２４の上端縁（延出端縁）は基板部１４と平行であり、保護板部２４の上端縁の高さは、上下方向において上面部１９のほぼ中央位置と同じ高さである。したがって、図１に示すように、タブの挿入方向と平行に投影した投影面上では、ガイド斜面２１の上側部分と接点部２２が、保護板部２４の上方に位置し、タブ挿入口１５を通して目視可能に配置される。タブは、タブ挿入口１５のうち保護板部２４よりも上方の開口領域を通して本体部１０内に挿入され、接点部２２と上板部１２の下面との間で弾性的に挟まれた状態で弾性接触片１６と接続されるようになっている。
【００２０】
図２に示すように、本体部１０には、保護板部２４の上端縁から斜め下後方へ片持ち状に延出する折返部２５が形成されている。この折返部２５の上端縁と保護板部２４の上端縁とが連なる部分は、略半円弧状の弧状部２６となっている。折返部２５は、保護板部２４と同じ幅寸法であって方形の平板状をなしている。折返部２５の前面は、保護板部２４の後面に対して鋭角（例えば、３０°）をなして対向している。そして、折返部２５の下端部（延出端部）には、基板部１４の上面（本体部１０の内面）と略平行をなす破断面２７が形成されている。この破断面２７は、その全幅に亘り、基板部１４の上面に対してほぼ面当たり状に当接している。このように、基板部１４の前端部と、保護板部２４と、折返部２５は、側方（タブの挿入方向及び保護板部２４の延出方向の両方向に対して直角な方向）から視たときに、略直角三角形を構成する。
【００２１】
本体部１０には、係止部２８が形成されている。係止部２８は、基板部１４のうち前後方向及び幅方向における一部分を上方（本体部１０の内部側）へ叩き出すことによって形成されている。係止部２８は、側方からみて台形状（台座状）をなす。前後方向において、係止部２８の前端縁は、脚部２３の下端部の後面に対し、後方から僅かに隙間を空けて（つまり、接近して）対向するように、又は後方から当接するように配置されている。
【００２２】
上述のように本実施形態の端子金具Ｆは、板材を曲げ加工して成形され、前端がタブ挿入口１５として開放された角筒状をなす本体部１０と、本体部１０を構成する基板部１４に支持されて本体部１０内に収容された弾性接触片１６と、基板部１４の前端縁からタブ挿入口１５の一部を閉塞するように延出する保護板部２４とを備えている。そして、保護板部２４には、その延出端縁から後方へ曲げられて基板部１４側へ折り返された形態の折返部２５が形成されている。
【００２３】
そして、前方からの押圧力や衝撃を受けた保護板部２４が、基板部１４の前端縁を支点として後方へ倒れようとしたときには、折返部２５の延出端が基板部１４の内面に突き当たり、基板部１４の前端部と保護板部２４と折返部２５とが三角形をなして強度の高いトラス構造を構成するので、保護板部２４の倒れが規制されている。したがって、保護板部２４が後方へ倒れることに起因する保護機能の信頼性低下が防止される。
【００２４】
また、折返部２５の延出端が基板部１４から離間している場合、保護板部２４は、折返部２５が基板部１４に突き当たるまで後方へ倒れ得ることになる。これに対し、本実施形態では、折返部２５の延出端を基板部１４の内面に当接させているので、保護板部２４の後方への倒れを確実に防止することができる。
【００２５】
また、保護板部２４に対し前方から基板部１４の前端縁を支点として後方へ倒そうとする外力が作用したときに、折返部２５の延出端部（下端部）が基板部１４の内面上で後方へ滑ってしまうと、保護板部２４と折返部２５の上端縁部における角度が大きくなりながら、保護板部２４が後方へ倒れてしまう。この点に鑑み、本実施形態は、基板部１４に、折返部２５の延出端部が前方から係止可能な係止部２８を形成した。このように、基板部１４に形成した係止部２８に対し、折返部２５の延出端部を前方から係止させる構成としたことにより、折返部２５の延出端部が基板部１４の内面上を後方へ滑ることが規制される。これにより、基板部１４の前端部と保護板部２４と折返部２５とによるトラス構造が維持されるので、保護板部２４の後方への倒れを、確実に防止できる。
【００２６】
また、折返部２５は、保護板部２４の延出端縁において、その全幅に亘って連続するリブ状に突出している。したがって、保護板部２４の延出端部は折返部２５によって補強されている。これにより、保護板部２４の延出端部が屈曲するような不正な変形を来すことが防止されている。
【００２７】
また、本実施形態とは異なり、弾性接触片を基板部の前端縁から後方へ延出する形態にする場合には、基板部を二重板構造とし、一方の基板部の前端縁から弾性接触片を延出させ、他方の基板部の前端縁から保護板部を延出させることになる。これに対し、本実施形態では、弾性接触片１６を、基板部１４の後端縁から折返部２５に向かって前方へ片持ち状に延出させているので、基板部１４を一枚板構造にすることが実現されている。
【００２８】
＜他の実施形態＞
本発明は上記記述及び図面によって説明した実施形態に限定されるものではなく、例えば次のような実施形態も本発明の技術的範囲に含まれる。
（１）上記実施形態では、折返部の先端面を基板部の上面に面当たり状に当接させたが、折返部の先端縁のエッジ部を基板部の上面に線接触状に当接させてもよい。
（２）上記実施形態では、折返部の延出端を基板部に当接させる形態としたが、折返部の延出端を基板部に対して接近して対向させる形態としてもよい。
（３）上記実施形態では、折返部の前面と保護板部の後面を非接触としたが、折返部は、保護板部の後面に当接するように密着曲げしてもよい。
（４）上記実施形態では、折返部を保護板部に対して斜め方向に延出する形態としたが、折返部は保護板部と平行に延出する形態としてもよい。
（５）上記実施形態では、折返部の幅寸法を保護板部の幅寸法と同じ寸法としたが、折返部の幅寸法は、保護板部の幅寸法より小さくてもよく、保護板部の幅寸法より大きくてもよい。
（６）上記実施形態では、保護板部から延出する折返部の数を１つだけとしたが、保護板部の延出端縁から幅方向に間隔を空けて複数の折返部を延出させてもよい。
（７）上記実施形態では、保護板部を基板部に対して直角に延出させたが、保護板部は、基板部に対して斜め方向に延出させてもよい。
（８）上記実施形態では、係止部を叩き起こしによって形成したが、係止部は、基板部の一部を切り起こすことによって形成してもよい。
（９）上記実施形態では、基板部に、折返部の延出端部が前方から係止することを可能とした係止部を形成したが、係止部は、このような係止部を形成しない形態としてもよい。
（１０）上記実施形態では、基板部を一枚板構造とし、保護板部を基板部の前端縁から延出させるとともに、弾性接触片を基板部の後端から前方へ延出させたが、基板部を二重板構造とし、一方の基板部の前端縁から弾性接触片を延出させ、他方の基板部の前端縁から保護板部を延出させてもよい。
【符号の説明】
【００２９】
Ｆ…端子金具
１０…本体部
１４…基板部
１５…タブ挿入口
１６…弾性接触片
２４…保護板部
２５…折返部
２８…係止部
【図１】
2012234709.tif 000003
【図２】
2012234709.tif 000004
【図３】
2012234709.tif 000005